(57)【要約】【課題】揺動筒体をガイドとして作動する角形棒により被処理物の一部が筒体内に蓄積されないようにした生ごみ処理装置を提供する。【解決手段】本発明は、下部側に軸支点２を持つ揺動筒体３と、該揺動筒体３内に摺接しつつ出没するように作動する角形棒５とを備えた生ごみ処理装置において、前記角形棒５を捻じったことを特徴とする。この角形棒５が断面正四角形であるときは、その１つの角が少なくとも９０°捻じられているとよい。すなわち、捻じりによって生ずる角形棒の各角の摺接により筒体内を自然に清掃（蓄積防止及び蓄積物の掻き出し）できるように構成した。【選択図】図１
2006239591.tif 000002
【特許請求の範囲】
【請求項１】
下部側に支点を持つ揺動筒体と、該揺動筒体内に摺接しつつ出没するように作動する角形棒とを備えた生ごみ処理装置において、前記角形棒を捻じったことを特徴とする生ごみ処理装置。
【請求項２】
前記角形棒が、断面正四角形であって、その１つの角が少なくとも９０°捻じられていることを特徴とする請求項１に記載の生ごみ処理装置。
【発明の詳細な説明】
【技術分野】
【０００１】
本発明は、バクテリアによる生ごみの分解を促進し、分解時の臭気を抑え、更に省電力化を計りながら設備や処理能力の大型化が容易に達成できる生ごみ処理装置に関するものである。
【背景技術】
【０００２】
従来、バクテリアによる分解を促進させる生ごみ処理装置は、特開２００２−５９１２４の如く、生ごみ処理槽内に充填した生ごみ処理用チップを撹拌用の羽根で撹拌して生ごみをバクテリアのような微生物にて分解処理していたが、処理槽の両側壁に嵌挿した主軸（回転軸）に固定した複数の撹拌腕（羽根）は、羽根の下方向時に処理槽の低部の反作用で被処理物を圧迫して回転負荷が増大してしまったり、撹拌羽根にゴミなどが付着することにより回転負荷が増大してしまうことがあり、その付着したゴミなどの除去作業が至極困難になっていた。
【０００３】
そこで、本発明者は、先に、処理槽内の被処理物の撹拌時の低負荷による処理コストの削減や省力化を実現し、しかも巨大量の生ごみ処理を可能にした生ごみ処理装置を開発して特開２００３−３３７４９として開示した。この生ごみ処理装置は、下部側に支点を持つ揺動筒体と、該揺動筒体内に摺接し、上端が縦円運動する駆動腕に連繋し、下端が前記揺動筒体から出没するように作動する角形棒とを備えたものである。この角形棒は被処理物を処理槽の槽底部から上方へ掬い上げつつ生ごみの投入側から搬出側へと押し進めるように作動するもので、回転羽根と異なり被処理物を圧迫したり、ゴミなどの付着による負荷の増大がなく、処理設備の大型化が可能であるなどの各種の利点を有していた。
【特許文献１】特開２００２−５９１２４
【特許文献２】特開２００３−３３７４９
【発明の開示】
【発明が解決しようとする課題】
【０００４】
しかしながら、本発明者が開発した先の技術によると、前記揺動筒体をガイドとして出没作動する角形棒は、その先端（下端）を処理槽内の被処理物に差し込んで該被処理物を槽底部から上方へ掬い上げつつ押し進めるように作動した後、揺動筒体内に引き入れられるが、その時に被処理物の一部が、経時的に筒体内に蓄積され、固まってしまい角形棒に大きな抵抗を生じさせる原因になった。この蓄積物は適時筒体内を清掃することにより取り除けば済むが、巨大量の生ごみ処理を目的とするこの装置にあっては極めて困難かつ重労働であった。
【０００５】
本発明は、上記問題を解消しようとするもので、その目的とするところは、揺動筒体をガイドとして作動する角形棒により被処理物の一部が筒体内に蓄積されないようにした生ごみ処理装置を提供することにある。
【課題を解決するための手段】
【０００６】
上記目的を達成するため、本発明は、下部側に支点を持つ揺動筒体と、該揺動筒体内に摺接しつつ出没するように作動する角形棒とを備えた生ごみ処理装置において、前記角形棒を捻じったことを特徴とし、その捻じりによって生ずる角形棒の各角の摺接により筒体内を自然に清掃（蓄積防止及び蓄積物の掻き出し）できるように構成した。
【０００７】
また、請求項２に記載の発明は、前記角形棒が、断面正四角形であって、その１つの角が少なくとも９０°捻じられていることを特徴とし、角形棒自身の捻じりを少なくして各角が筒体内に全面的に当たるように構成した。
【発明の効果】
【０００８】
本発明に係る生ごみ処理装置は、下部側に支点を持つ揺動筒体を出没する角形棒の移動時に、該角形棒の捻じられた各角が筒体内の摺接面に付着する蓄積物を作動中に自然に清掃することができるという優れた効果を奏するものである。
【０００９】
また、請求項２に記載の発明に係る生ごみ処理装置は、前記角形棒が、断面正四角形であって、その１つの角が少なくとも９０°捻じられていることを特徴としているから、角形棒自身の捻じり角度を最も少なくして筒体内を全面的に確実に掃除できるという優れた効果を奏するものである。
【発明を実施するための最良の形態】
【００１０】
次に、本発明の実施の形態を図面に基づいて説明する。図１は本願装置の揺動筒体と角形棒との作用を示す側面図、図２は本願装置の一部省略平面図、図３は揺動筒体と角形棒との関係図、図４は角形棒に捻じりを付与する説明のための斜視図、図５は捻じりを付与した角形棒の一部を示す斜視図、図６は揺動筒体内に摺接する角形棒の作用を示す断面図である。
【００１１】
本願装置１は、図１の如く、下部側に軸支点２を持つ揺動筒体３と、該揺動筒体３の内周に摺接し、上端５″が縦円運動（図中、符号Ｋで示している）する駆動腕４に連繋した角形棒５とを備え、該角形棒５は、前記駆動腕４の縦円運動により、下端５′が前記揺動筒体３を突出し、処理槽６内の被処理物を槽底部から上方へ掬い上げつつ一定方向へ押し進めるように作動するようになっている。
【００１２】
前記処理槽６の左右の槽壁上にはレール７が敷設され、該レール７上には車輪８を介して走行枠１０が処理槽６の長さ方向に沿って走行可能に設けられている。該走行枠１０の底枠１０′上には、枠長方向（処理槽６の幅方向と同方向）に、駆動機（図示の構造のものに限らない）１１の腕部１１′の作動により一定量Ｐの範囲で往復する移動台１２が設けられている。
【００１３】
前記移動台１２の下面には、走行枠１０の開口穴９を通して固定アーム１３が下方に向け延出されている。該固定アーム１３の下端部には、前記揺動筒体３の下端側が軸支点２を介して枢着されている。したがって、該揺動筒体３は、その軸支点２を中心に上端側が自在に揺動できる。なお、前記走行枠１０の底面は、前記移動台１２の４つの車輪１２′が乗るだけの幅の底枠１０′があるほか、その中央域は前記開口穴９として開口されている。
【００１４】
前記揺動筒体３は少なくとも内周が円筒である鞘体で、外側の形状は問わない。該揺動筒体３の内面に摺接して出没する角形棒５は、その上端５″が前記移動台１２の台上に設置したモータ１４の推軸１４′に固定した駆動輪１５にチェーン（ベルトでもよい）１６を介して連繋した回転輪１７の支軸１８に固定され、縦円運動する駆動腕４に連繋している。該角形棒５は、図２の如く、移動台１２の台上に設けた透孔を通して等間隔（移動台の移動範囲Ｐとほぼ等しい間隔）に設置されている。
【００１５】
したがって、今、前記モータ１４の起動により駆動腕４が、図１のＡ点（角形棒５の上端連繋点）から矢印イ方向に縦円運動を開始してＢ点に至ると、前記角形棒５の下端（先端）５′は前記軸支点２を中心に揺動する揺動筒体３に規制（ガイド）されて、ａ点から矢印ロの軌道を通って下降し、ｂ点に至る。さらに駆動腕４がＣ点、Ｄ点の如く縦円運動を進行させるに伴い角形棒５の下端５′もｃ点、ｄ点の如き軌道を描く。これにより角形棒５は前記処理槽６内の被処理物を槽底部１９から上方へ掬い上げるように撹拌しつつ処理槽６の被処理物投入側６ａから搬出側６ｂへと押し進めることができるようになっている。
【００１６】
前記角形棒５の下端５′は、前記駆動腕４が図１のＮ点（揺動筒体３の軸支点２から最も遠ざかった位置）に至ると、前記揺動筒体３内の上端寄りまで没入する。換言すると、前記角形棒５は長さ（駆動腕４との連繋点から下端まで）Ｓを有し、前記駆動腕４の縦円運動により、その下端５′が、図３の如く、揺動筒体３より最も突出する位置から揺動筒体３内に最も没入位置を繰り返すこととなる。
【００１７】
前記角形棒５の下端５′が揺動筒体３より突出するときは、処理槽６内の被処理物に潜り込むことから尖っていることが好ましい。また、前記角形棒５は、前述の如く、被処理物に潜り込んだ後、該被処理物を槽底部から上方へ掬い上げるように運動して撹拌する関係でその被処理物の抵抗に耐えられる強度を有していることが必要であることは勿論である。したがって、被処理物の処理量によって太さ、長さが決定される。
【００１８】
前記角形棒５の断面形状は特に問わないが、断面正三角形か、断面正四角形にし、図４の如く、該角形棒５の基端５Ａを固定（斜線参照）し、他端５Ｂを軸芯Ｌを中心に９０°捻じって図５の如く形体に塑性変形（元に戻らないように変形）させる。この場合、断面正四角形の角形棒５であれば、１つの角（エッジ）Ｅを９０°捻じるとよい。すなわち、４つの角で都合３６０°となる。ちなみに、断面正三角形の角形棒５であれば、１つの角を１２０°捻じって都合３６０°となるようにすることとなる。勿論、本願角形棒５の断面形状は正五角形、正六角形でもよいが、揺動筒体３内の蓄積物の掻き出し効果は角数の少ない方が優れている。
【００１９】
前記角形棒５を上述の如く捻じっておくと、揺動筒体３より最も突出する位置から揺動筒体３内に最も没入位置に至る角形棒５は、その角（エッジ）Ｅ１、Ｅ２、Ｅ３、Ｅ４のそれぞれが、図６（ａ）の位置から（ｂ）の位置及び（ｃ）位置に揺動筒体３内を変化して各角が筒体３内のあらゆる面に摺接し、被処理物（点々模様）を自然に清掃することができることとなる。尤も、かかる効能は総ての角が揺動筒体３の内面に均等に当たる断面正三角形、正四角形等の正角形の場合であるが、強度が保てて揺動筒体３内の蓄積防止及び蓄積物の掻き出し効果が得られるならば、常に、断面正角形でなくてもよい。
【００２０】
次に、本願装置１の作用について説明する。まず、処理槽６の左右の槽壁上に敷設したレール７に沿って走行枠１０は、前記処理槽６の被処理物搬出側６ｂから走行を開始させる。この走行枠１０の走行は、該走行枠上に搭載した駆動機（図示せず）の作動により自走する。この走行枠１０が前記処理槽６の被処理物搬出側６ｂから投入側６ａに至った後は、出発位置（被処理物搬出側６ｂ）に戻す。
【００２１】
かくして、被処理物搬出側６ｂから走行開始した走行枠１０の底枠１０′上を移動する移動台１２の上面に設置したモータ１４を駆動し、その推軸１４′に固定した駆動輪１５からチェーン１６を介して連繋した回転輪１７の支軸１８により駆動腕４を縦円運動させて角形棒５を駆動する。
【００２２】
前記角形棒５は上端５″が縦円運動するから、下端５′は軸支点２を中心に揺動する揺動筒体３に規制（ガイド）されて処理槽６内の被処理物を槽底部１９から上方へ掬い上げるように撹拌しつつ処理槽６の搬出側６ｂへと押し進める（これは走行枠１０の走行方向と逆方向となる）。
【００２３】
前記角形棒５の上記撹拌運動は、前記走行枠１０の走行（処理槽の長さ方向）と、前記移動台１２の移動（処理槽の幅方向）とを組み合わせて行われる。すなわち、前記角形棒５を上記撹拌運動をさせながら移動台１２とともに一定量Ｐだけ処理槽の幅方向に移動させ、その移動点にて、前記走行枠１０を角形棒５に上記撹拌運動をさせながら処理槽の長さ方向に移動させる。しかる後、角形棒５を上記撹拌運動をさせながら移動台１２とともに一定量Ｐだけ戻し、その戻し点にて、前記走行枠１０を走行方向に進める。
【００２４】
このようにして、前記移動台１２の移動と走行枠１０の走行とにより角形棒５は処理槽６内をジグザグ状に走行させると、角形棒５は処理槽６内の被処理物を万遍なく撹拌作用するとともに、被処理物を搬出側６ｂへと押し進めることができる。
【００２５】
前記角形棒５は尖った下端５′にて処理槽６内の被処理物を突き刺しつつ潜り込んで該被処理物を槽底部から上方へ掬い上げるように撹拌するが、尖った下端５′に刺されて角形棒５とともに引き上げられた被処理物の大きいものは前記揺動筒体３の下端口に阻止されて筒体３内まで引き込まれないが、角形棒５に付着した被処理物の細かいものは、前記揺動筒体３の下端口に阻止されずに筒体３内まで引き込まれるとしても、捻じられている角形棒５の角（エッジ）Ｅの作用により常に清掃されることとなる。
【産業上の利用可能性】
【００２６】
本願装置は、家庭、レストラン、学校、病院などから廃棄される生ゴミの処理や好気性細菌の発酵を促進するための装置であって、揺動筒体をガイドとして作動する角形棒により被処理物の一部が筒体内に蓄積されないようにしたもので、特に、設備や処理能力の大型化した生ごみ処理装置に有効である。
【図面の簡単な説明】
【００２７】
【図１】本願装置の揺動筒体と角形棒との作用を示す側面図である。
【図２】本願装置の一部省略平面図である。
【図３】揺動筒体と角形棒との関係図である。
【図４】角形棒に捻じりを付与する説明のための斜視図である。
【図５】捻じりを付与した角形棒の一部を示す斜視図である。
【図６】揺動筒体内に摺接する角形棒の作用を示す断面図で、（ａ）は初期、（ｂ）            は中間過程、（ｃ）は完了時点である。
【符号の説明】
【００２８】
１  本願装置
２  軸支点
３  揺動筒体
４  駆動腕
５  角形棒
５′  下端
５″  上端
６  処理槽
７  レール
８  車輪
９  開口穴
１０  走行枠
１０′  底枠
１１  駆動機
１１′  腕部
１２  移動台
１３  固定アーム
１４  モータ
１４′  推軸
１５  駆動輪
１６  連繋手段
１７  連繋輪
１８  軸杆
１９  槽底部
【図１】
2006239591.tif 000003
【図２】
2006239591.tif 000004
【図３】
2006239591.tif 000005
【図４】
2006239591.tif 000006
【図５】
2006239591.tif 000007
【図６】
2006239591.tif 000008